(57)【要約】本発明は、スモールセルパワー制御方法および基地局を開示し、当該方法は、スモールセル状態変化を検出する時に、スモールセルのために常規活性化状態下の定格値より小さい発信パワーを設定することを含む。
2016518795.tif 000002
【特許請求の範囲】
【請求項１】
スモールセルパワー制御方法であって、
スモールセル状態変化を検出する時に、
スモールセルのために常規活性化状態下の定格値より小さい発信パワーを設定することを含む、スモールセルパワー制御方法。
【請求項２】
前記スモールセル状態変化は、スモールセルが活性化されることであることを特徴とする
請求項１に記載の方法。
【請求項３】
前記常規活性化状態下の定格値より小さい発信パワーを設定することは、
定格最大発信パワーより小さい特定パワー値に固定に設定すること、
又は、ユーザー装置（ＵＥ）が測定してフィードバックした発現信号（ＤＳ）受信強度に基づいて、そしてＤＳ発信パワーに基づいて、ＵＥとスモールセルの間のパスロスを推定し、パスロスに基づいて発信パワーを設定すること、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定すること、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定することであることを特徴とする
請求項２に記載の方法。
【請求項４】
スモールセル設定の最大発信パワーの調整に基づいて参照信号及び／又はダウンリンクチャネルのパワーを比例的に調整することをさらに含むことを特徴とする
請求項２又は３に記載の方法。
【請求項５】
前記スモールセルが活性化された後、前記発信パワーを常規活性化状態下の定格値まで段階的に増加させることをさらに含むことを特徴とする
請求項２又は３に記載の方法。
【請求項６】
前記発信パワーを増加させることは、
所定のステップサイズに応じて発信パワーを定期的に増加させること、
又は、マクロセルがスモールセルの発信パワーを増加させる調整を行うこと、
又は、スモールセルが周囲隣接セルと相談し、発信パワーを調整して増加させること、
又は、ＵＥがスモールセルに切り替える時に、スモールセルはパワーを通常発信パワーに調整すること、
又は、プリセット集中制御ユニットがスモールセルの発信パワーを増加させる調整を行うこと、
又は、自己組織化ネットワーク（ＳＯＮ）又は運用保守（ＯＭ）実体がスモールセルの発信パワーを増加させる調整を行うことであることを特徴とする
請求項５に記載の方法。
【請求項７】
複数の初期発信パワーモードを予め設定することと、
前記初期発信パワーモードが通常モードに設定される場合、スモールセルが活性化された後通常活性化状態の発信パワーに直接に設定されることと、
前記初期発信パワーモードが段階的な発信パワー調整モードに設定される場合、スモールセルが初期活性化される時に、スモールセルのために常規活性化状態下の定格値より小さい発信パワーを設定することとをさらに含むことを特徴とする
請求項２に記載の方法。
【請求項８】
前記初期発信パワーモードを設定することは、
マクロセルがスモールセルの初期発信パワーモードに対して設定を行うこと、
又は、スモールセルが周囲隣接セルと相談し、スモールセルの初期発信パワーモードに対して設定を行うこと、
又は、プリセット集中制御ユニットがスモールセルの初期発信パワーモードに対して設定を行うこと、
又は、ＳＯＮ又はＯＭ実体がスモールセルの初期発信パワーモードに対して設定を行うことであることを特徴とする
請求項７に記載の方法。
【請求項９】
前記スモールセル状態変化は、スモールセルが非活性化されることであり、
前記スモールセルのために常規活性化状態下の定格値より小さい発信パワーを設定することは、前記発信パワーを段階的に低減させることであることを特徴とする
請求項１に記載の方法。
【請求項１０】
前記方法は、スモールセル設定の最大発信パワーに基づいて参照信号及び／又はダウンリンクチャネルのパワーを設定することをさらに含み、
前記参照信号は、セル参照信号（ＣＲＳ）、チャネル状態情報参照信号（ＣＳＩ−ＲＳ）、マスタ同期信号（ＰＳＳ）、補助同期信号（ＳＳＳ）、および位置基準信号（ＰＲＳ）を含み、前記ダウンリンクチャネルは、物理放送チャネル（ＰＢＣＨ）、物理ダウンリンク共有チャネル（ＰＤＳＣＨ）、物理ダウンリンク制御チャネル（ＰＤＣＣＨ）、および進化型物理ダウンリンク制御チャネル（ｅＰＤＣＣＨ）を含むことを特徴とする
請求項２又は９に記載の方法。
【請求項１１】
前記方法は、
前記ＵＥに基地局のＲＳの発信パワーを通知すること、及び／又は、
前記ＵＥに基地局のＲＳとデータチャネルの発信パワー比を通知することを含むことを特徴とする
請求項２又は９に記載の方法。
【請求項１２】
前記通知することは、
基地局が毎回パワーを調整する時に、ＵＥに対して相応な通知を行うこと、
又は、基地局がＵＥに対して相応な通知を行う時に、ＵＥに周期およびステップサイズ情報を含んでいるパワー変化ルールをさらに通知することである特徴とする
請求項１１に記載の方法。
【請求項１３】
基地局であって、
スモールセル状態変化を検出する時に、設定ユニットへ設定を行うことを通知するように構成される検出ユニットと、
検出ユニットからの通知を受信する時に、前記スモールセルのために常規活性化状態下の定格値より小さい発信パワーを設定するように構成される設定ユニットとを含む、基地局。
【請求項１４】
前記スモールセル状態変化は、スモールセルが活性化されることであることを特徴とする
請求項１３に記載の基地局。
【請求項１５】
前記設定ユニットは、前記発信パワーを設定する時に、定格最大発信パワーより小さい特定パワー値に固定に設定し、
又は、ＵＥが測定してフィードバックしたＤＳ受信強度に基づいて、そしてＤＳ発信パワーに基づいて、ＵＥとスモールセルの間のパスロスを推定し、パスロスに基づいて発信パワーを設定し、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定し、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定するように構成されることを特徴とする
請求項１４に記載の基地局。
【請求項１６】
前記設定ユニットは、スモールセル設定の最大発信パワーの調整に基づいて参照信号及び／又はダウンリンクチャネルのパワーを比例的に調整するように構成されることを特徴とする
請求項１４又は１５に記載の基地局。
【請求項１７】
前記設定ユニットは、スモールセルが活性化された後、前記発信パワーを常規活性化状態下の定格まで段階的に増加させるように構成されることを特徴とする
請求項１４又は１５に記載の基地局。
【請求項１８】
前記設定ユニットは、前記装置が前記発信パワーを増加させる時に、所定のステップサイズに応じて発信パワーを定期的に増加させ、
又は、マクロセルを制御して、スモールセルの発信パワーを増加させる調整を行い、
又は、スモールセルを制御して、周囲の隣接セルと相談し、発信パワーを調整して増加させ、
又は、ＵＥがスモールセルに切り替える時に、スモールセルを制御して、パワーを通常発信パワーに調整し、
又は、プリセット集中制御ユニットを制御して、スモールセルの発信パワーを増加させる調整を行い、
又は、ＳＯＮ又はＯＭ実体を制御して、スモールセルの発信パワーを増加させる調整を行うように構成されることを特徴とする
請求項１７に記載の基地局。
【請求項１９】
前記設定ユニットは、複数の初期発信パワーモードを予め設定し、前記初期発信パワーモードが通常モードに設定される場合、スモールセルが活性化された後、通常活性化状態の発信パワーに直接に設定され、前記初期発信パワーモードが段階的な発信パワー調整モードに設定される場合、スモールセルが初期活性化される時に、スモールセルのために常規活性化状態下の定格値より小さい発信パワーを設定するように構成されることを特徴とする
請求項１４に記載の基地局。
【請求項２０】
前記設定ユニットは、マクロセルを制御して、スモールセルの初期発信パワーモードに対して設定を行い、
又は、スモールセルを制御して、周囲の隣接セルと相談し、スモールセルの初期発信パワーモードに対して設定を行い、
又は、プリセット集中制御ユニットを制御して、スモールセルの初期発信パワーモードに対して設定を行い、
又は、ＳＯＮ又はＯＭ実体を制御して、スモールセルの初期発信パワーモードに対して設定を行うように構成されることを特徴とする
請求項１９に記載の基地局。
【請求項２１】
前記スモールセル状態変化は、スモールセルが非活性化されることであり、
前記装置がスモールセルのために常規活性化状態下の定格値より小さい発信パワーを設定する時に、前記発信パワーを段階的に低減させることに用いられることを特徴とする
請求項１３に記載の基地局。
【請求項２２】
前記設定ユニットは、スモールセル設定の最大発信パワーに基づいて参照信号及び／又はダウンリンクチャネルのパワーを設定するように構成され、
前記参照信号はＣＲＳ、ＣＳＩ−ＲＳ、ＰＳＳ、ＳＳＳ、およびＰＲＳを含み、前記ダウンリンクチャネルは、ＰＢＣＨ、ＰＤＳＣＨ、ＰＤＣＣＨ、およびｅＰＤＣＣＨを含むことを特徴とする
請求項１４又は２１に記載の基地局。
【請求項２３】
前記設定ユニットは、前記ＵＥに基地局のＲＳの発信パワーを通知し、及び／又は、
前記ＵＥに基地局のＲＳとデータチャネルの発信パワー比を通知するように構成されることを特徴とする
請求項１５又は２２に記載の基地局。
【請求項２４】
前記設定ユニットは、毎回パワーを調整する時に、ＵＥに対して相応な通知を行い、
又は、ＵＥに対して相応な通知を行う時に、ＵＥに周期およびステップサイズ情報を含んでいるパワー変化ルールをさらに通知するように構成されることを特徴とする
請求項２３に記載の基地局。
【発明の詳細な説明】
【技術分野】
【０００１】
本発明は通信分野に関し、具体的に、スモールセルパワー制御方法および基地局に関する。
【背景技術】
【０００２】
ＰＣサービス及びスマート端末の広範な普及に伴い、人々は、無線通信体験、特に通信スピードに対するリクエストはますます高くなる。長期発展型（Ｌｏｎｇ  Ｔｅｒｍ  Ｅｖｏｌｕｔｉｏｎ：ＬＴＥ）標準及び後続の標準発展において、ユーザー感知及びシステムスループットを向上させるために、特にホットスポット地区のスループットを向上させるために、異機種ネットワーク（Ｈｅｔｅｒｏｇｅｎｅｏｕｓ  Ｎｅｔｗｏｒｋ：ＨｅｔＮｅｔ）のネットワーク構築アーキテクチャを採用し、即ち、マクロセル（Ｍａｃｒｏ  ｃｅｌｌ）の信号カバー範囲内でスモールセル（Ｓｍａｌｌ  ｃｅｌｌ）を配置してホットスポットエリアのサービス品質とスループットを増加させる。図１は、一つの代表的なスモールセルシーンであって、そのなかに、スモールセル１とスモールセル２の二つのスモールセルは同じ周波数であり、信号カバー範囲が二つのスモールセルをカバーするマクロセルとスモールセルの間は異なる周波数又は同じ周波数である。
【０００３】
ホットスポットエリアのスモールセルの数を増加させることは、ネットワーク容量を向上させることとカバーホールを低減させることの有効的な機制であるが、同時に、いろいろな問題、例えば、スモールセルの間の相互干渉、切り替え及びエネルギー消費などの問題が与えられる。通常、スモールセルが初期活性化される段階で、周辺の同じ周波数の隣接セルに対して突発的な干渉を生じ、突発的な干渉は隣接セル性能に影響を与える。
【発明の概要】
【発明が解決しようとする課題】
【０００４】
これを鑑み、本発明の主な目的は、スモールセルパワー制御方法および基地局を提供して、スモールセルが初期活性化される段階で隣接セルに対する干渉を低減することにある。
【課題を解決するための手段】
【０００５】
上記目的を達するために、本発明の実施例に係る技術的解決手段は、下記のように実現される。
【０００６】
スモールセルパワー制御方法であって、前記方法は、
スモールセル状態変化を検出する時に、
スモールセルのために常規活性化状態下の定格値より小さい発信パワーを設定することを含む。
【０００７】
上記方案において、前記スモールセル状態変化は、スモールセルが活性化されることである。
【０００８】
上記方案において、前記常規活性化状態下の定格値より小さい発信パワーを設定することは、
定格最大発信パワーより小さい特定パワー値に固定に設定すること、
又は、ユーザー装置（ＵＥ）が測定してフィードバックした発現信号（ＤＳ）受信強度に基づいて、そしてＤＳ発信パワーに基づいて、ＵＥとスモールセルの間のパスロスを推定し、パスロスに基づいて発信パワーを設定すること、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定すること、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定することを含む。
【０００９】
上記方案において、前記方法は、スモールセル設定の最大発信パワーの調整に基づいて参照信号及び／又はダウンリンクチャネルのパワーを比例的に調整することをさらに含む。
【００１０】
前記方法は、スモールセルが活性化された後、前記発信パワーを常規活性化状態下の定格値まで段階的に増加させることをさらに含む。
【００１１】
上記方案において、前記発信パワーを増加させることは、
所定のステップサイズに応じて発信パワーを定期的に増加させること、
又は、マクロセルがスモールセルの発信パワーを増加させる調整を行うこと、
又は、スモールセルが周囲隣接セルと相談し、発信パワーを調整して増加させること、
又は、ＵＥがスモールセルに切り替える時に、スモールセルはパワーを通常発信パワーに調整すること、
又は、プリセット集中制御ユニットがスモールセルの発信パワーを増加させる調整を行うこと、
又は、自己組織化ネットワーク（ＳＯＮ）又は運用保守（ＯＭ）実体がスモールセルの発信パワーを増加させる調整を行うことである。
【００１２】
上記方案において、前記方法は、
複数の初期発信パワーモードを予め設定し、前記初期発信パワーモードが通常モードに設定される場合、スモールセルが活性化された後通常活性化状態の発信パワーに直接に設定されることと、前記初期発信パワーモードが段階的な発信パワー調整モードに設定される場合、スモールセルが初期活性化される時に、スモールセルのために常規活性化状態下の定格値より小さい発信パワーを設定することとを含む。
【００１３】
上記方案において、前記初期発信パワーモードを設定することは、
マクロセルがスモールセルの初期発信パワーモードに対して設定を行うこと、
又は、スモールセルが周囲隣接セルと相談し、スモールセルの初期発信パワーモードに対して設定を行うこと、
又は、プリセット集中制御ユニットがスモールセルの初期発信パワーモードに対して設定を行うこと、
又は、ＳＯＮ又はＯＭ実体がスモールセルの初期発信パワーモードに対して設定を行うことである。
【００１４】
上記方案において、前記スモールセル状態は、スモールセルが非活性化されることであり、
前記スモールセルのために常規活性化状態下の定格値より小さい発信パワーを設定することは、前記発信パワーを段階的に低減させることである。
【００１５】
上記方案において、前記方法は、スモールセル設定の最大発信パワーに基づいて参照信号及び／又はダウンリンクチャネルのパワーを設定することをさらに含み、
前記参照信号は、セル参照信号（ＣＲＳ）、チャネル状態情報参照信号（ＣＳＩ−ＲＳ）、マスタ同期信号（ＰＳＳ）、補助同期信号（ＳＳＳ）、および位置基準信号（ＰＲＳ）を含み、前記ダウンリンクチャネルは、物理放送チャネル（ＰＢＣＨ）、物理ダウンリンク共有チャネル（ＰＤＳＣＨ）、物理ダウンリンク制御チャネル（ＰＤＣＣＨ）、および進化型物理ダウンリンク制御チャネル（ｅＰＤＣＣＨ）を含む。
【００１６】
上記方案において、前記方法は、前記ＵＥに基地局のＲＳの発信パワーを通知すること、及び／又は、
前記ＵＥに基地局のＲＳとデータチャネルの発信パワー比を通知することをさらに含む。
【００１７】
上記方案において、前記通知することは、基地局が毎回パワーを調整する時に、ＵＥに対して相応な通知を行うこと、
又は、基地局がＵＥに対して相応な通知を行う時に、ＵＥに周期およびステップサイズ情報を含んでいるパワー変化ルールをさらに通知することである。
【００１８】
本発明の実施例に係る基地局は、
スモールセル状態変化を検出する時に、設定ユニットへ設定を行うことを通知するように構成される検出ユニットと、
検出ユニットからの通知を受信する時に、前記スモールセルのために常規活性化状態下の定格値より小さい発信パワーを設定するように構成される設定ユニットとを含む。
【００１９】
上記方案において、前記スモールセル状態変化は、スモールセルが活性化されることである。
【００２０】
上記方案において、前記設定ユニットは、定格最大発信パワーより小さい特定パワー値に固定に設定し、
又は、ＵＥが測定してフィードバックしたＤＳ受信強度に基づいて、そしてＤＳ発信パワーに基づいて、ＵＥとスモールセルの間のパスロスを推定し、パスロスに基づいて発信パワーを設定し、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定し、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定するように構成される。
【００２１】
上記方案において、前記設定ユニットは、スモールセル設定の最大発信パワーの調整に基づいて参照信号及び／又はダウンリンクチャネルのパワーを比例的に調整するように構成される。
【００２２】
上記方案において、前記設定ユニットは、スモールセルが活性化された後、前記発信パワーを常規活性化状態下の定格まで段階的に増加させるように構成される。
【００２３】
上記方案において、前記設定ユニットは、所定のステップサイズに応じて発信パワーを定期的に増加させ、
又は、マクロセルを制御して、スモールセルの発信パワーを増加させる調整を行い、
又は、スモールセルを制御して、周囲の隣接セルと相談し、発信パワーを調整して増加させ、
又は、ＵＥがスモールセルに切り替える時に、スモールセルを制御してパワーを通常発信パワーに調整し、
又は、プリセット集中制御ユニットを制御して、スモールセルの発信パワーを増加させる調整を行い、
又は、ＳＯＮ又はＯＭ実体を制御して、スモールセルの発信パワーを増加させる調整を行うように構成される。
【００２４】
上記方案において、前記設定ユニットは、複数の初期発信パワーモードを予め設定し、前記初期発信パワーモードが通常モードに設定される場合、スモールセルが活性化された後、通常活性化状態の発信パワーに直接に設定され、前記初期発信パワーモードが段階的な発信パワー調整モードに設定される場合、スモールセルが初期活性化される時に、スモールセルのために常規活性化状態下の定格値より小さい発信パワーを設定するように構成される。
【００２５】
上記方案において、前記設定ユニットは、マクロセルを制御して、スモールセルの初期発信パワーモードに対して設定を行い、
又は、スモールセルを制御して、周囲の隣接セルと相談し、スモールセルの初期発信パワーモードに対して設定を行い、
又は、プリセット集中制御ユニットを制御して、スモールセルの初期発信パワーモードに対して設定を行う、
又は、ＳＯＮ又はＯＭ実体を制御して、スモールセルの初期発信パワーモードに対して設定を行うように構成される。
【００２６】
上記方案において、前記スモールセル状態変化は、スモールセルが非活性化されることであり、
前記装置がスモールセルのために常規活性化状態下の定格値より小さい発信パワーを設定する時に、前記発信パワーを段階的に低減させることに用いられる。
【００２７】
上記方案において、前記設定ユニットは、スモールセル設定の最大発信パワーに基づいて参照信号及び／又はダウンリンクチャネルのパワーを設定するように構成され、
前記参照信号はＣＲＳ、ＣＳＩ−ＲＳ、ＰＳＳ、ＳＳＳ、およびＰＲＳを含み、前記ダウンリンクチャネルは、ＰＢＣＨ、ＰＤＳＣＨ、ＰＤＣＣＨ、およびｅＰＤＣＣＨを含む。
【００２８】
上記方案において、前記設定ユニットは、前記ＵＥに基地局のＲＳの発信パワーを通知し、及び／又は、
前記ＵＥに基地局のＲＳとデータチャネルの発信パワー比を通知するように構成される。
【００２９】
上記方案において、前記設定ユニットは、毎回パワーを調整する時に、ＵＥに対して相応な通知を行い、
又は、ＵＥに対して相応な通知を行う時に、ＵＥに周期およびステップサイズ情報を含んでいるパワー変化ルールをさらに通知するように構成される。
【００３０】
本発明の実施例に係るスモールセルパワー制御技術において、スモールセル状態が変化する時に、スモールセルのために常規活性化状態下の定格値より小さい発信パワーを設定するので、スモールセルが初期活性化される段階で隣接セルに対する干渉を有効的に低減させ、隣接セル性能への影響をできる限り回避することができる。
【図面の簡単な説明】
【００３１】
【図１】従来の技術のスモールセルネットワーク構造図である。
【図２】本発明の実施例に係るスモールセルパワー制御方法プロセス模式図である。
【図３】本発明の実施例に係る基地局の構造模式図である。
【発明を実施するための形態】
【００３２】
以下、添付の図面及び具体的な実施例を参照して本発明に対してさらに詳しく説明する。
【００３３】
要するに、本発明の実施例に係るスモールセルパワー制御方法は、図２に示すような操作を実行することができ、以下のステップを含む。
【００３４】
ステップ２０１において、スモールセル状態変化を検出する。
【００３５】
ステップ２０２において、前記スモールセルのために常規活性化状態下の定格値より小さい発信パワーを設定する。
【００３６】
ここで、前記スモールセル状態変化は、スモールセルが活性化されることであることができ、スモールセルが非活性化されることであることもできる。
【００３７】
スモールセルが初期活性化される時に、基地局などのスモールセル制御実体がスモールセルのために常規活性化状態下の定格値より小さい発信パワーを設定することができる。より小さい発信パワーを設定したので、新しく活性化されたスモールセルが隣接セルに対して干渉するのを低減させる。そのほかに、新しく活性化されたスモールセルのエージに位置するユーザー装置（ＵＥ）は計測を起動し、計測結果を応用してＵＥの位置付けと干渉の設定の協調を補助することができる。
【００３８】
スモールセルの活性化を完了した後に、予め設定されるリクエスト又は通信要求などがあると、新しく活性化されたスモールセルの発信パワーを段階的に増加させることもできる。
【００３９】
上記のスモールセルが活性化されるのに対応して、スモールセルが非活性化される時に、現在スモールセルの発信パワーを段階的に削減して、信号カバー範囲を減少させ、同時にサービス中のＵＥを他のスモールセル、例えば、隣接セルに切り替えさせる。現在スモールセルの発信パワーを削減するとともに、他のスモールセル（例えば、隣接セル）は発信パワーを増加して、信号カバー範囲を拡大させる。
【００４０】
実際の適用において、Ｃｅｌｌ１、Ｃｅｌｌ２が設定され、Ｃｅｌｌ１はスリープ状態にあり、Ｃｅｌｌ２は活性化状態にある。ＵＥ１がＣｅｌｌ１に近く、ＵＥ２がＣｅｌｌ２に近い。ＵＥ１とＵＥ２はいずれもＣｅｌｌ２によりサービスが提供される。
【００４１】
実施例１：スモールセルが活性化される時のパワー設定方案
Ｃｅｌｌ１を活性化し、Ｃｅｌｌ１の初期最大ダウンリンク発信パワーＰｉｎｉｔを設定し、ＰｉｎｉｔはＣｅｌｌ１の定格最大発信パワーＰｍａｘより小さい。Ｃｅｌｌ１はＰｉｎｉｔに基づいてダウンリンク信号の発信パワーを設定する。
【００４２】
以下の方法を応用してＰｉｎｉｔに対して設定を行う。
【００４３】
Ｐｉｎｉｔをあるパワー値に固定に設定し、当該パワー値はＣｅｌｌ１の定格最大発信パワーより小さい。
【００４４】
又は、ＵＥ１が測定してフィードバックした発現信号（Ｄｉｓｃｏｖｅｒｙ  ｓｉｇｎａｌ：ＤＳ）の信号受信強度に基づいて、そしてＤＳ発信パワーに基づいて、ＵＥ１とＣｅｌｌ１の間のパスロスＰＬを推定して、ＰＬ及び他の情報に基づいて適切なＰｉｎｉｔを設定する。例えば、Ｐｉｎｉｔ＝α＊ＰＬ＋Ｇである。ここで、α＞＝０であり、αは測定に基づいて得た重み付け係数であり、Ｇは隣接セル干渉などの因子を考慮した初期量である。
【００４５】
又は、複数のＵＥがＤＳ受信強度を測定してフィードバックした場合、各ＵＥのＰＬを計算し、閾値Ｐ＿ｔｈｒｅを設定し、ＵＥのＰＬがＰ＿ｔｈｒｅを超えない場合、フェージングが最大であるＵＥのＰＬに基づいてＰｉｎｉｔを設定し、ＵＥのパスロスがＰ＿ｔｈｒｅを超える場合、Ｐ＿ｔｈｒｅに基づいてＰｉｎｉｔを設定し、Ｐ＿ｔｈｒｅを設定する時に、隣接セルに対する干渉影響とセルの活性化に起因するゲインを考慮する。
【００４６】
Ｃｅｌｌ１を活性化した後、ダウンリンク最大発信パワーを常規活性化状態下の定格値まで段階的に増加させる。具体的な実現方式は、
所定のステップサイズに応じて発信パワーを定期的に増加させること、
又は、マクロセルがＣｅｌｌ１の発信パワーを増加させる調整を行うこと、
又は、Ｃｅｌｌ１が周囲隣接セルと相談し、発信パワーを調整して増加させること、
又は、ＵＥがＣｅｌｌ１に切り替える時に、Ｃｅｌｌ１はパワーを通常発信パワーに調整することであり、
前記ステップサイズに応じて発信パワーを定期的に増加させることは、例えば、周期をＴにし、パワー調整ステップサイズをΔＰにすると、Ｐｍａｘ（ｎ）＝Ｐｉｎｉｔ＋ｎ＊ΔＰであり、ここで、Ｐｍａｘ（ｎ）はｎ番目周期のダウンリンク最大パワー設定であり、Ｐｍａｘ（ｎ）＜Ｐｍａｘであり、ｎ＞＝１である。
【００４７】
Ｃｅｌｌ１が発信パワーを増加させるとともに、Ｃｅｌｌ２などの隣接セルは、発信パワーを低減させて、信号カバー範囲を減少させるように、同期および協調することができる。
【００４８】
Ｃｅｌｌ１が発信パワーを調整する時に、パワー調整に関する情報をサービス中のＵＥへ通知することができる。
【００４９】
実施例２：スモールセルが非活性化される時のパワー設定方案
前記発信パワーを段階的に低減させて、信号カバー範囲を減少させ、同時にサービス中のＵＥを他のスモールセル、例えば、隣接セルに切り替えさせる。隣接セルは同期に発信パワーを増加して、カバー範囲を拡大することができる。
【００５０】
具体的に、Ｃｅｌｌ１は非活性化指示を受信した後、発信パワーを段階的に低減させて、カバー範囲を減少させる。具体的な実現方式は、
所定のステップサイズに応じて発信パワーを周期的に減少させて、最終的にスモールセルを非活性化させること、
所定のステップサイズに応じて発信パワーを周期的に減少させ、Ｐｍａｘ（ｉ）＜＝Ｐ＿ｔｈｒｅである時に、スモールセルを直接に非活性化させることができること、
又は、マクロセルがスモールセルの発信パワーの減少を調整して、スモールセルを非活性化させること、
又は、スモールセルが周囲隣接セルと相談し、発信パワーの減少を調整して、スモールセルを非活性化させること、
又は、スモールセル以内のすべてのＵＥが他の隣接セルに切り替える時に、スモールセルを非活性化させることと、
又は、プリセット集中制御ユニットがスモールセルの発信パワーの減少を調整して、スモールセルを非活性化させること、
又は、自己組織化ネットワーク（Ｓｅｌｆ−Ｏｒｇａｎｉｚｅｄ  Ｎｅｔｗｏｒｋ：ＳＯＮ）又は運用保守（Ｏｐｅｒａｔｉｏｎａｌ  Ｍａｉｎｔｅｎａｎｃｅ：ＯＭ）実体がスモールセルの発信パワーの減少を調整して、スモールセルを非活性化させることであり、
ここで、前記所定のステップサイズに応じて発信パワーを周期的に減少させて、最終的にスモールセルを非活性化させることは、例えば、周期をＴにし、パワー調整ステップサイズをΔＰにすると、Ｐｍａｘ（ｎ）＝Ｐ−ｎ＊ΔＰであり、Ｐｍａｘ（ｎ）はｎ番目周期のダウンリンク最大パワー設定であり、Ｐｍａｘ（ｎ）＜Ｐｍａｘであり、ｎ＞＝１である。
【００５１】
Ｃｅｌｌ１が発信パワーを減少させるとともに、Ｃｅｌｌ２などの隣接セルは、発信パワーを増加させて、信号カバー範囲を増加させるように、同期および協調することができる。
【００５２】
Ｃｅｌｌ１が発信パワーを調整する時に、パワー調整に関する情報をサービス中のＵＥへ通知することができる。
【００５３】
発信パワーの低減と伴って、Ｃｅｌｌ１によりサービスされるＵＥは、徐々に他のスモールセル、例えば、隣接セルに切り替える。
【００５４】
非活性化プロセスにおいて、Ｃｅｌｌ１に対して新しいリクエストがあると、Ｃｅｌｌ１は非活性化プロセスを終了し、発信パワーを段階的に増加させ、信号カバーの範囲を拡大する。
【００５５】
最終的に、Ｃｅｌｌ１は、スリープ状態に進入する。具体的に、以下のいくつかの方案を含む。
【００５６】
Ｃｅｌｌ１によりサービスされるＵＥが他のスモールセルに完全に切り替えた後、Ｃｅｌｌ１はスリープ状態に直接に進入し、又は、
Ｃｅｌｌ１は発信パワーを段階的に低減させ、発信パワーがプリセット閾値まで低減され、且つＣｅｌｌ１によりサービスされるＵＥが他のスモールセルにすでに切り替えた場合、Ｃｅｌｌ１は、スリープ状態に進入する。
【００５７】
以上の説明からわかるように、スモールセル状態が変化する時に、スモールセルのために常規活性化状態下の定格値より小さい発信パワーを設定することができる。
【００５８】
前記スモールセル状態変化は、スモールセルが初期活性化されることである。
【００５９】
前記発信パワーを設定することは、定格最大発信パワーより小さい特定パワー値に固定に設定し、
又は、ＵＥが測定してフィードバックしたＤＳ受信強度に基づいて、そしてＤＳ発信パワーに基づいて、ＵＥとスモールセルの間のパスロスを推定して、パスロスに基づいて発信パワーを設定し、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定し、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定することである。
【００６０】
さらに、スモールセル設定の最大発信パワーの調整に基づいて参照信号及び／又はダウンリンクチャネルのパワーを比例的に調整する。
【００６１】
スモールセルが活性化された後、前記発信パワーを常規活性化状態下の定格まで段階的に増加させることもできる。
【００６２】
前記発信パワーを増加させることは、所定のステップサイズに応じて発信パワーを定期的に増加させること、
又は、マクロセルがスモールセルの発信パワーを増加させる調整を行うこと、
又は、スモールセルが周囲隣接セルと相談し、発信パワーを調整して増加させること、
又は、ＵＥがスモールセルに切り替える時に、スモールセルはパワーを通常発信パワーに調整すること、
又は、プリセット集中制御ユニットがスモールセルの発信パワーを増加させる調整を行うこと、
又は、ＳＯＮ又はＯＭ実体によりスモールセルの発信パワーを増加させる調整を行うことである。
【００６３】
さらに、複数の初期発信パワーモードを予め設定することができ、前記初期発信パワーモードが通常モードに設定される場合、スモールセルが活性化された後、通常活性化状態の発信パワーに直接に設定され、前記初期発信パワーモードが段階的な発信パワー調整モードに設定される場合、スモールセルが初期活性化される場合、スモールセルのために常規活性化状態下の定格値より小さい発信パワーを設定する。
【００６４】
初期発信パワーモードを設定することは、マクロセルがスモールセルの初期発信パワーモードに対して設定を行うこと、
又は、スモールセルが周囲隣接セルと相談し、スモールセルの初期発信パワーモードに対して設定を行うこと、
又は、プリセット集中制御ユニットがスモールセルの初期発信パワーモードに対して設定を行うこと、
又は、ＳＯＮ又はＯＭ実体がスモールセルの初期発信パワーモードに対して設定を行うことである。
【００６５】
前記スモールセル状態変化は、スモールセルが非活性化されることであり、
前記スモールセルのために常規活性化状態下の定格値より小さい発信パワーを設定することは、前記発信パワーを段階的に低減させることである。
【００６６】
さらに、スモールセル設定の最大発信パワーに基づいて参照信号及び／又はダウンリンクチャネルのパワーを設定することができる。
【００６７】
前記参照信号は、セル参照信号（Ｃｅｌｌ  ｒｅｆｅｒｅｎｃｅ  ｓｉｇｎａｌ：ＣＲＳ）、チャネル状態情報参照信号（Ｃｈａｎｎｅｌ  Ｓｔａｔｅ  Ｉｎｆｏｒｍａｔｉｏｎ  ｒｅｆｅｒｅｎｃｅ  ｓｉｇｎａｌ：ＣＳＩ−ＲＳ）、マスタ同期信号（Ｐｒｉｍａｒｙ  Ｓｙｎｃｈｒｏｎｉｚａｔｉｏｎ  Ｓｉｇｎａｌ：ＰＳＳ）、補助同期信号（Ｓｅｃｏｎｄａｒｙ  Ｓｙｎｃｈｒｏｎｉｚａｔｉｏｎ  Ｓｉｇｎａｌ：ＳＳＳ）、および位置基準信号（Ｐｏｓｉｔｉｏｎ  Ｒｅｆｅｒｅｎｃｅ  Ｓｉｇｎａｌ、ＰＲＳ）を含み、前記ダウンリンクチャネルは、物理放送チャネル（Ｐｈｙｓｉｃａｌ  Ｂｒｏａｄｃａｓｔ  Ｃｈａｎｎｅｌ：ＰＢＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）、物理ダウンリンク制御チャネル（Ｐｈｙｓｉｃａｌ  ｄｏｗｎｌｉｎｋ  ｃｏｎｔｒｏｌ  ｃｈａｎｎｅｌ：ＰＤＣＣＨ）、および進化型物理ダウンリンク制御チャネル（Ｅｎｈａｎｃｅｄ  Ｐｈｙｓｉｃａｌ  ｄｏｗｎｌｉｎｋ  ｃｏｎｔｒｏｌ  ｃｈａｎｎｅｌ：ｅＰＤＣＣＨ）を含む。
【００６８】
さらに、前記ＵＥに基地局のＲＳの発信パワーを通知し、及び／又は、
前記ＵＥに基地局のＲＳとデータチャネルの発信パワー比を通知することもできる。
【００６９】
前記通知することは、基地局が毎回パワーを調整する時に、ＵＥに対して相応な通知を行うこと、
又は、基地局がＵＥに対して相応な通知を行う時に、ＵＥに周期およびステップサイズ情報を含んでいるパワー変化ルールをさらに通知することである。
【００７０】
上記操作に基づき、本発明の実施例に係るスモールセルパワー制御装置は基地局であることができ、図３に示すように、前記基地局は、
スモールセル状態変化を検出する時に、設定ユニット３２を通知して設定を行うように構成される検出ユニット３１と、
検出ユニット３１から送信される通知を受信する時に、前記スモールセルのために常規活性化状態下の定格値より小さい発信パワーを設定するように構成される設定ユニット３２とを含む。
【００７１】
前記スモールセル状態変化は、スモールセルが初期活性化されることである。
【００７２】
前記設定ユニット３２は、定格最大発信パワーより小さい特定パワー値に固定に設定し、
又は、ＵＥが測定してフィードバックしたＤＳ受信強度に基づいて、そしてＤＳ発信パワーに基づいて、ＵＥとスモールセルの間のパスロスを推定し、パスロスに基づいて発信パワーを設定し、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定し、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定するように構成される。
【００７３】
前記設定ユニット３２は、スモールセル設定の最大発信パワーの調整に基づいて参照信号及び／又はダウンリンクチャネルのパワーを比例的に調整するように構成される。
【００７４】
前記設定ユニット３２は、スモールセルが活性化された後、前記発信パワーを常規活性化状態下の定格値まで段階的に増加させるように構成される。
【００７５】
前記設定ユニット３２は、前記発信パワーを増加させる時に、ステップサイズに基づいて発信パワーを定期的に増加させ、
又は、マクロセルを制御して、スモールセルの発信パワーを増加させる調整を行い、
又は、スモールセルを制御して、周囲の隣接セルと相談し、発信パワーを調整して増加させ、
又は、ＵＥがスモールセルに切り替える時に、スモールセルを制御して、パワーを通常発信パワーに調整し、
又は、プリセット集中制御ユニットを制御して、スモールセルの発信パワーを増加させる調整を行い、
又は、ＳＯＮ又はＯＭ実体を制御して、スモールセルの発信パワーを増加させる調整を行うように構成される。
【００７６】
前記設定ユニット３２は、複数の初期発信パワーモードを予め設定し、前記初期発信パワーモードが通常モードに設定される場合、スモールセルが活性化された後、通常活性化状態の発信パワーに直接に設定され、前記初期発信パワーモードが段階的な発信パワー調整モードに設定される場合、スモールセルが初期活性化される時に、スモールセルのために常規活性化状態下の定格値より小さい発信パワーを設定するように構成される。
【００７７】
前記設定ユニット３２は、マクロセルを制御して、スモールセルの初期発信パワーモードに対して設定を行い、
又は、スモールセルを制御して、周囲の隣接セルと相談し、スモールセルの初期発信パワーモードに対して設定を行い、
又は、プリセット集中制御ユニットを制御して、スモールセルの初期発信パワーモードに対して設定を行い、
又は、ＳＯＮ又はＯＭ実体を制御して、スモールセルの初期発信パワーモードに対して設定を行うように構成される。
【００７８】
前記スモールセル状態変化は、スモールセルが非活性化されることであり、
前記設定ユニット３２は、スモールセルのために常規活性化状態下の定格値より小さい発信パワーを設定する時に、前記発信パワーを段階的に低減させるように構成される。
【００７９】
前記設定ユニット３２は、スモールセル設定の最大発信パワーに基づいて参照信号及び／又はダウンリンクチャネルのパワーを設定するように構成され、
前記参照信号はＣＲＳ、ＣＳＩ−ＲＳ、ＰＳＳ、ＳＳＳ、およびＰＲＳを含み、前記ダウンリンクチャネルは、ＰＢＣＨ、ＰＤＳＣＨ、ＰＤＣＣＨ、およびｅＰＤＣＣＨを含む。
【００８０】
前記設定ユニット３２は、前記ＵＥに基地局のＲＳの発信パワーを通知し、及び／又は、
前記ＵＥに基地局のＲＳとデータチャネルの発信パワー比を通知するように構成される。
【００８１】
前記設定ユニット３２は、毎回パワーを調整する時に、ＵＥに対して相応な通知を行い、
又は、ＵＥに対して相応な通知を行う時に、ＵＥに周期およびステップサイズ情報を含んでいるパワー変化ルールをさらに通知するように構成される。
【００８２】
上記検出ユニット及び設定ユニットはいずれも基地局のＤＳＰ、ＦＰＧＡ、他の形式のベースバンドチップなどのハードウェア及び／又はそのなかのソフトウェアにより実現される。
【００８３】
上記のように、方法又は当該方法を実現することができる装置を問わずに、本発明の実施例に係るスモールセルパワー制御技術において、スモールセル状態が変化する時に、スモールセルのために常規活性化状態下の定格値より小さい発信パワーを設定するので、スモールセルが初期活性化される段階で隣接セルに対する干渉を有効的に低減させ、できる限り隣接セル性能への影響を回避することができる。
【００８４】
以上に記述されるのは、本発明の好ましい実施例に過ぎなく、本発明の保護範囲を限定するためのものではない。
【図１】
2016518795.tif 000003
【図２】
2016518795.tif 000004
【図３】
2016518795.tif 000005
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
スモールセルパワー制御方法であって、
スモールセル状態変化を検出する時に、
スモールセルのために常規活性化状態下の定格値より小さい発信パワーを設定することを含む、スモールセルパワー制御方法。
【請求項２】
前記スモールセル状態変化は、スモールセルが活性化されることであり、
前記常規活性化状態下の定格値より小さい発信パワーを設定することは、
定格最大発信パワーより小さい特定パワー値に固定に設定すること、
又は、ユーザー装置（ＵＥ）が測定してフィードバックした発現信号（ＤＳ）受信強度に基づいて、そしてＤＳ発信パワーに基づいて、ＵＥとスモールセルの間のパスロスを推定し、パスロスに基づいて発信パワーを設定すること、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定すること、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定することであることを特徴とする
請求項１に記載の方法。
【請求項３】
スモールセル設定の最大発信パワーの調整に基づいて参照信号及び／又はダウンリンクチャネルのパワーを比例的に調整することをさらに含むことを特徴とする
請求項２に記載の方法。
【請求項４】
前記スモールセルが活性化された後、前記発信パワーを常規活性化状態下の定格値まで段階的に増加させることをさらに含み、
前記発信パワーを増加させることは、
所定のステップサイズに応じて発信パワーを定期的に増加させること、
又は、マクロセルがスモールセルの発信パワーを増加させる調整を行うこと、
又は、スモールセルが周囲隣接セルと相談し、発信パワーを調整して増加させること、
又は、ＵＥがスモールセルに切り替える時に、スモールセルはパワーを通常発信パワーに調整すること、
又は、プリセット集中制御ユニットがスモールセルの発信パワーを増加させる調整を行うこと、
又は、自己組織化ネットワーク（ＳＯＮ）又は運用保守（ＯＭ）実体がスモールセルの発信パワーを増加させる調整を行うことであることを特徴とする
請求項２に記載の方法。
【請求項５】
複数の初期発信パワーモードを予め設定することと、
前記初期発信パワーモードが通常モードに設定される場合、スモールセルが活性化された後通常活性化状態の発信パワーに直接に設定されることと、
前記初期発信パワーモードが段階的な発信パワー調整モードに設定される場合、スモールセルが初期活性化される時に、スモールセルのために常規活性化状態下の定格値より小さい発信パワーを設定することとをさらに含み、
前記初期発信パワーモードを設定することは、
マクロセルがスモールセルの初期発信パワーモードに対して設定を行うこと、
又は、スモールセルが周囲隣接セルと相談し、スモールセルの初期発信パワーモードに対して設定を行うこと、
又は、プリセット集中制御ユニットがスモールセルの初期発信パワーモードに対して設定を行うこと、
又は、ＳＯＮ又はＯＭ実体がスモールセルの初期発信パワーモードに対して設定を行うことであることを特徴とする
請求項２に記載の方法。
【請求項６】
前記スモールセル状態変化は、スモールセルが非活性化されることであり、
前記スモールセルのために常規活性化状態下の定格値より小さい発信パワーを設定することは、前記発信パワーを段階的に低減させることであることを特徴とする
請求項１に記載の方法。
【請求項７】
前記方法は、スモールセル設定の最大発信パワーに基づいて参照信号及び／又はダウンリンクチャネルのパワーを設定することをさらに含み、
前記参照信号は、セル参照信号（ＣＲＳ）、チャネル状態情報参照信号（ＣＳＩ−ＲＳ）、マスタ同期信号（ＰＳＳ）、補助同期信号（ＳＳＳ）、および位置基準信号（ＰＲＳ）を含み、前記ダウンリンクチャネルは、物理放送チャネル（ＰＢＣＨ）、物理ダウンリンク共有チャネル（ＰＤＳＣＨ）、物理ダウンリンク制御チャネル（ＰＤＣＣＨ）、および進化型物理ダウンリンク制御チャネル（ｅＰＤＣＣＨ）を含むことを特徴とする
請求項２又は６に記載の方法。
【請求項８】
前記方法は、
前記ＵＥに基地局のＲＳの発信パワーを通知すること、及び／又は、
前記ＵＥに基地局のＲＳとデータチャネルの発信パワー比を通知することを含み、
前記通知することは、
基地局が毎回パワーを調整する時に、ＵＥに対して相応な通知を行うこと、
又は、基地局がＵＥに対して相応な通知を行う時に、ＵＥに周期およびステップサイズ情報を含んでいるパワー変化ルールをさらに通知することである特徴とする
請求項２又は６に記載の方法。
【請求項９】
基地局であって、
スモールセル状態変化を検出する時に、設定ユニットへ設定を行うことを通知するように構成される検出ユニットと、
検出ユニットからの通知を受信する時に、前記スモールセルのために常規活性化状態下の定格値より小さい発信パワーを設定するように構成される設定ユニットとを含む、基地局。
【請求項１０】
前記スモールセル状態変化は、スモールセルが活性化されることであり、
前記設定ユニットは、前記発信パワーを設定する時に、定格最大発信パワーより小さい特定パワー値に固定に設定し、
又は、ＵＥが測定してフィードバックしたＤＳ受信強度に基づいて、そしてＤＳ発信パワーに基づいて、ＵＥとスモールセルの間のパスロスを推定し、パスロスに基づいて発信パワーを設定し、
又は、ＵＥが測定してフィードバックしたＤＳ受信強度に基づいて、そしてＤＳ発信パワーに基づいて、ＵＥとスモールセルの間のパスロスを推定し、パワー閾値Ｐ＿ｔｈｒｅを設定し、ＵＥのパスロスがＰ＿ｔｈｒｅを超えない場合、ＵＥのパスロスに基づいて発信パワーを設定し、ＵＥのパスロスがＰ＿ｔｈｒｅを超える場合、Ｐ＿ｔｈｒｅに基づいて発信パワーを設定し、
又は、複数のＵＥがＤＳ受信強度を測定してフィードバックした場合、各ＵＥのパスロスを計算し、パワー閾値Ｐ＿ｔｈｒｅを設定し、ＵＥのパスロスがＰ＿ｔｈｒｅを超えない場合、フェージングが最大であるＵＥのパスロスに基づいて発信パワーを設定し、ＵＥのパスロスがＰ＿ｔｈｒｅを超える場合、Ｐ＿ｔｈｒｅに基づいて発信パワーを設定するように構成されることを特徴とする
請求項９に記載の基地局。
【請求項１１】
前記設定ユニットは、スモールセル設定の最大発信パワーの調整に基づいて参照信号及び／又はダウンリンクチャネルのパワーを比例的に調整するように構成されることを特徴とする
請求項１０に記載の基地局。
【請求項１２】
前記設定ユニットは、スモールセルが活性化された後、前記発信パワーを常規活性化状態下の定格まで段階的に増加させるように構成され、
さらに、前記設定ユニットは、前記装置が前記発信パワーを増加させる時に、所定のステップサイズに応じて発信パワーを定期的に増加させ、
又は、マクロセルを制御して、スモールセルの発信パワーを増加させる調整を行い、
又は、スモールセルを制御して、周囲の隣接セルと相談し、発信パワーを調整して増加させ、
又は、ＵＥがスモールセルに切り替える時に、スモールセルを制御して、パワーを通常発信パワーに調整し、
又は、プリセット集中制御ユニットを制御して、スモールセルの発信パワーを増加させる調整を行い、
又は、ＳＯＮ又はＯＭ実体を制御して、スモールセルの発信パワーを増加させる調整を行うように構成されることを特徴とする
請求項１０に記載の基地局。
【請求項１３】
前記設定ユニットは、複数の初期発信パワーモードを予め設定し、前記初期発信パワーモードが通常モードに設定される場合、スモールセルが活性化された後、通常活性化状態の発信パワーに直接に設定され、前記初期発信パワーモードが段階的な発信パワー調整モードに設定される場合、スモールセルが初期活性化される時に、スモールセルのために常規活性化状態下の定格値より小さい発信パワーを設定するように構成され、
さらに、前記設定ユニットは、マクロセルを制御して、スモールセルの初期発信パワーモードに対して設定を行い、
又は、スモールセルを制御して、周囲の隣接セルと相談し、スモールセルの初期発信パワーモードに対して設定を行い、
又は、プリセット集中制御ユニットを制御して、スモールセルの初期発信パワーモードに対して設定を行い、
又は、ＳＯＮ又はＯＭ実体を制御して、スモールセルの初期発信パワーモードに対して設定を行うように構成されることを特徴とする
請求項１０に記載の基地局。
【請求項１４】
前記スモールセル状態変化は、スモールセルが非活性化されることであり、
前記設定ユニットがスモールセルのために常規活性化状態下の定格値より小さい発信パワーを設定する時に、前記発信パワーを段階的に低減させることに用いられることを特徴とする
請求項９に記載の基地局。
【請求項１５】
前記設定ユニットは、スモールセル設定の最大発信パワーに基づいて参照信号及び／又はダウンリンクチャネルのパワーを設定するように構成され、
前記参照信号はＣＲＳ、ＣＳＩ−ＲＳ、ＰＳＳ、ＳＳＳ、およびＰＲＳを含み、前記ダウンリンクチャネルは、ＰＢＣＨ、ＰＤＳＣＨ、ＰＤＣＣＨ、およびｅＰＤＣＣＨを含むことを特徴とする
請求項１０又は１４に記載の基地局。
【請求項１６】
前記設定ユニットは、前記ＵＥに基地局のＲＳの発信パワーを通知し、及び／又は、
前記ＵＥに基地局のＲＳとデータチャネルの発信パワー比を通知するように構成され、
さらに、前記設定ユニットは、毎回パワーを調整する時に、ＵＥに対して相応な通知を行い、
又は、ＵＥに対して相応な通知を行う時に、ＵＥに周期およびステップサイズ情報を含んでいるパワー変化ルールをさらに通知するように構成されることを特徴とする
請求項１０又は１５に記載の基地局。
【国際調査報告】
2016518795.tif 000006
2016518795.tif 000007
2016518795.tif 000008
2016518795.tif 000009